(57)【特許請求の範囲】
【請求項１】
互いに間隔を空けて列をなすように配置された複数の支柱と、管状をなし、隣り合う支柱同士の間に配設される複数本のビームと、各ビームの端部を対応する支柱に連結するための連結装置とを備え、この連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有するガードパイプのうちの特定のビームを取り替えるための方法であって、
前記特定のビームを当該ビームの両端部とそれぞれ嵌合する第１の内側部材及び第２の内側部材から取り外す取り外し工程と、
前記第１の内側部材を前記コネクタ及び前記特定のビームと隣り合うビームから外し、前記第１の内側部材に内側部材操作用線材の一端をつないでおいてから新しく導入される交換用ビームの一方の端部に挿入する挿入工程と、
前記交換用ビームのうち前記第１の内側部材が挿入されている端部と反対側の端部に前記第２の内側部材を挿入した状態で前記第１の内側部材が挿入されている端部をこれに対応するコネクタと対向する位置に保持し、その位置で前記内側部材操作用線材を前記ビームの外側から引っ張ることによって前記第１の内側部材を前記コネクタ側に移動させることにより当該コネクタから当該第１の内側部材の両端部が突出して前記交換用ビームとその隣のビームとに挿入される状態にし、この状態で当該第１の内側部材の両端部を当該両端部がそれぞれ挿入されたビームに締結する取り付け工程とを含むガードパイプにおけるビームの取り替え方法。
【請求項２】
互いに間隔を空けて列をなすように配置された複数の支柱と、管状をなし、隣り合う支柱同士の間に配設される複数本のビームと、各ビームの端部を対応する支柱に連結するための連結装置とを備え、この連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有するガードパイプのうちの特定のビームを取り替えるための方法であって、
前記特定のビームを当該ビームの両端部とそれぞれ嵌合する第１の内側部材及び第２の内側部材から取り外す取り外し工程と、
前記第１の内側部材に内側部材操作用線材の一端をつないでおいてから、この第１の内側部材を前記隣り合うビームの端部の奥へ挿入する挿入工程と、
交換用ビームの一方の端部に前記第２の内側部材を挿入した状態で前記交換用ビームの他方の端部をこれに対応するコネクタと対向する位置に保持し、その位置で前記内側部材操作用線材を前記ビームの外側から引っ張ることによって前記隣り合うビームから前記第１の内側部材を前記コネクタ側に戻すことにより当該コネクタから当該第１の内側部材の両端部が突出して前記交換用ビームとその隣のビームとに挿入される状態にし、この状態で当該第１の内側部材の両端部を当該両端部がそれぞれ挿入されたビームに締結する取り付け工程とを含むガードパイプにおけるビームの取り替え方法。
【請求項３】
請求項１または２に記載のガードパイプにおけるビームの取り替え方法において、
前記取り付け工程では、前記内側部材操作用線材を、前記隣り合うビームまたは前記交換用ビームと前記第１の内側部材とを締結するボルトを挿通するために当該隣り合うビームまたは前記交換用ビームに設けられた貫通孔を通じてその外部に導出させておくことを特徴とするガードパイプにおけるビームの取り替え方法。
【請求項４】
請求項１〜３のいずれかに記載のガードパイプにおけるビームの取り替え方法において、
前記挿入工程では、前記第１の内側部材の端部に形成された突出部に前記内側部材操作用線材の一端を引掛けておき、その突出部の側から当該第１の内側部材を前記交換用ビームまたは隣り合うビームの端部に挿入することを特徴とするガードパイプにおけるビームの取り替え方法。
【請求項５】
請求項１〜４のいずれかに記載のガードパイプにおけるビームの取り替え方法において、
前記各ビームの両端には、その外側から内側に内側部材操作用工具の先端を挿入するための貫通孔が設けられ、前記各内側部材の表面には、前記突出方向と平行な方向に並び、前記内側部材操作用工具とそれぞれ係合可能な複数の係合部が形成され、
前記取り外し工程では、前記特定のビームまたは前記隣り合うビームに設けられた貫通孔から前記特定のビームまたは前記隣り合うビームの内側に前記内側部材操作用工具を挿入しながらこの内側部材操作用工具を前記第１の内側部材の適当な係合部に係合させてこの第１の内側部材を前記ビームの軸方向に移動させることにより、当該特定のビームから当該第１の内側部材を取り外すことを特徴とするガードパイプにおけるビームの取り替え方法。
【請求項６】
互いに間隔を空けて列をなすように配置された複数の支柱と、管状をなし、隣り合う支柱同士の間に配設される複数本のビームと、各ビームの端部を対応する支柱に連結するための連結装置とを備え、この連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有し、前記各ビームの両端には、その外側から内側に内側部材操作用工具の先端が挿入可能な貫通孔が設けられ、前記各内側部材の表面には、前記突出方向と平行な方向に並び、前記内側部材操作用工具とそれぞれ係合可能な複数の係合部が形成されたガードパイプのうちの特定のビームを取り替えるための方法であって、
前記特定のビームを当該ビームの両端部とそれぞれ嵌合する第１の内側部材及び第２の内側部材から取り外す取り外し工程と、
前記第１の内側部材を前記コネクタ及び前記特定のビームと隣り合うビームから外し、新しく導入される交換用ビームの一方の端部に挿入する挿入工程と、
前記交換用ビームのうち前記第１の内側部材が挿入されている端部と反対側の端部に前記第２の内側部材を挿入した状態で前記第１の内側部材が挿入されている端部をこれに対応するコネクタと対向する位置に保持し、その位置で、前記交換用ビームに設けられた貫通孔から当該交換用ビームの内側に前記内側部材操作用工具を挿入しながらこの内側部材操作用工具を前記第１の内側部材の適当な係合部に係合させてこの第１の内側部材を前記ビームの軸方向に移動させる操作を各係合部について繰り返すことによって前記第１の内側部材を前記コネクタ側に移動させることにより、当該コネクタから当該第１の内側部材の両端部が突出して前記交換用ビームとその隣のビームとに挿入される状態にし、この状態で当該第１の内側部材の両端部を当該両端部がそれぞれ挿入されたビームに締結する取り付け工程とを含むガードパイプにおけるビームの取り替え方法。
【請求項７】
互いに間隔を空けて列をなすように配置された複数の支柱と、管状をなし、隣り合う支柱同士の間に配設される複数本のビームと、各ビームの端部を対応する支柱に連結するための連結装置とを備え、この連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有し、前記各ビームの両端には、その外側から内側に内側部材操作用工具の先端が挿入可能な貫通孔が設けられ、前記各内側部材の表面には、前記突出方向と平行な方向に並び、前記内側部材操作用工具とそれぞれ係合可能な複数の係合部が形成されたガードパイプのうちの特定のビームを取り替えるための方法であって、
前記特定のビームを当該ビームの両端部とそれぞれ嵌合する第１の内側部材及び第２の内側部材から取り外す取り外し工程と、
前記第１の内側部材を、前記隣り合うビームのさらに奥へ挿入する挿入工程と、
新しく導入される交換用ビームの一方の端部に前記第２の内側部材を挿入した状態で前記交換用ビームの他方の端部をこれに対応するコネクタと対向する位置に保持し、その位置で、前記隣り合うビームに設けられた貫通孔から当該隣り合うビームの内側に前記内側部材操作用工具を挿入しながらこの内側部材操作用工具を前記第１の内側部材の適当な係合部に係合させてこの第１の内側部材を前記ビームの軸方向に移動させる操作を各係合部について繰り返すことによって前記隣り合うビームから前記第１の内側部材を前記コネクタ側に戻すことにより、当該コネクタから当該第１の内側部材の両端部が突出して前記交換用ビームとその隣のビームとに挿入される状態にし、この状態で当該第１の内側部材の両端部を当該両端部がそれぞれ挿入されたビームに締結する取り付け工程とを含むガードパイプにおけるビームの取り替え方法。
【請求項８】
請求項６または７に記載のガードパイプにおけるビームの取り替え方法において、
前記取り外し工程では、前記特定のビームまたは前記隣り合うビームに設けられた貫通孔から前記特定のビームまたは前記隣り合うビームの内側に前記内側部材操作用工具を挿入しながらこの内側部材操作用工具を前記第１の内側部材の適当な係合部に係合させてこの第１の内側部材を前記ビームの軸方向に移動させることにより、当該特定のビームから当該第１の内側部材を取り外すことを特徴とするガードパイプにおけるビームの取り替え方法。
【請求項９】
請求項１〜８のいずれかに記載のガードパイプにおけるビームの取り替え方法において、
前記取り外し工程では、前記特定のビームをその途中で切断することにより当該ビームを第１の内側部材及び第２の内側部材から取り外すことを特徴とするガードパイプにおけるビームの取り替え方法。
【請求項１０】
互いに間隔を空けて列をなすように配置された複数の支柱と、管状をなし、隣り合う支柱同士の間に配設される複数本のビームと、各ビームの端部を対応する支柱に連結するための連結装置とを備えたガードパイプであって、
前記連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有し、
前記内側部材の長手方向両端部のうちの少なくとも一方に、この内側部材を外部からの操作によって前記ビーム内でその軸方向に移動させるための内側部材操作用線材が連結可能な突出部が設けられることを特徴とするガードパイプ。
【請求項１１】
互いに間隔を空けて列をなすように配置された複数の支柱と、管状をなし、隣り合う支柱同士の間に配設される複数本のビームと、各ビームの端部を対応する支柱に連結するための連結装置とを備えたガードパイプであって、
前記連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有し、
前記各ビームの端部には、前記締結具が挿通可能な貫通孔が設けられるとともに、前記内側部材の表面には、前記貫通孔から前記各ビームの内側に挿入される内側部材操作用工具と係合可能な係合部が当該内側部材の長手方向に配列されていることを特徴とするガードパイプ。
【請求項１２】
請求項１０または１１に記載のガードパイプにおいて、
前記内側部材の両端部をこれらの端部がそれぞれ挿入されるビームの内側面に密着させるための補強具を備え、
前記補強具は、前記コネクタとその両側のビームの端部とに跨がる形状の補強具本体と、この補強具本体の中間部を前記コネクタに設けられた貫通孔を通じて前記内側部材に締結する補強用締結具とを有することを特徴とするガードパイプ。
【発明の詳細な説明】
【技術分野】
【０００１】
本発明は、車両が道路の境界を越えて進入するのを防止するためのガードパイプにおけるビームの取り替え方法およびガードパイプに関する。
【背景技術】
【０００２】
従来、車両が道路の境界を越えて進入するのを防止するために、車道と歩道の境界、車道と車道の境界、あるいは道路の境界を隔てるようにガードパイプが設けられている。
【０００３】
ガードパイプは、主に、間隔を空けて一列に並ぶように配置された複数の支柱と、それぞれの支柱によって直接的または間接的にその両端が支持され、２本の隣り合う支柱を繋ぐように略水平に設けられたパイプ状のビームとから構成されている。
【０００４】
特許文献１では、インナースリーブ（内側部材）というビームの内側に収まる外径を有する堅固な部材を用いて、ビームを略水平に支持するガードパイプが提案されている。特許文献１のようなインナースリーブを用いたガードパイプの場合には、インナースリーブが、隣り合うビームの連結部分の強度を高める役割を果たし、ガードパイプとしての強度を確保することができる。たとえば、図８に示されるように、インナースリーブを用いたガードパイプ１１０は、支柱２と、ビーム５１、５２とを有し、インナースリーブ４は、これらのビーム５１、５２の端部を支柱２に間接的に連結するために、その両端がビーム５１、５２の端部に挿入されている。
【特許文献１】特開２００７−２６１３号公報
【発明の開示】
【発明が解決しようとする課題】
【０００５】
しかしながら、特許文献１のようなインナースリーブを用いたガードパイプの場合には、各ビームの取り替えが非常に煩雑な作業になってしまう。たとえば、ガードパイプの中間部に設けられた１つのビームを取り替えるために、取り替え対象となっているビームとインナースリーブとを締結しているボルトを取り外しても、依然として、インナースリーブの端部がビームの端部に嵌め合わされた状態が維持されているので、取り替え対象となっているビームのみを支柱から取り外すことができない。したがって、このビームを取り替えるためには、ガードパイプの端部（支柱の列の先頭または最後部）から順に、取り替え対象となっている中間部のビームまでの、全てのビームを一旦支柱から取り外さなければならない。
【０００６】
なお、破損等で再利用不可能なビームについては、そのビームを切断することにより、前記インナースリーブの存在にかかわらず支柱から取り外すことができる。しかしながら、その場合でも、新しいビームを取り付ける際には前記インナースリーブが障害になって、そのまま取り付けることができないため、結局他のビームを取り外す必要が生じる。
【０００７】
本発明は、上記従来の問題に鑑みてなされたものであり、インナースリーブを用いたガードパイプにおいて、ビームの取り替え作業を容易に行うことができるガードパイプにおけるビームの取り替え方法およびガードパイプを提供することを目的としている。
【課題を解決するための手段】
【０００８】
本発明のガードパイプにおけるビームの取り替え方法は、互いに間隔を空けて列をなすように配置された複数の支柱と、管状をなし、隣り合う支柱同士の間に配設される複数本のビームと、各ビームの端部を対応する支柱に連結するための連結装置とを備え、この連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有するガードパイプのうちの特定のビームを取り替えるための方法であって、前記特定のビームを当該ビームの両端部とそれぞれ嵌合する第１の内側部材及び第２の内側部材から取り外す取り外し工程と、前記第１の内側部材を前記コネクタ及び前記特定のビームと隣り合うビームから外し、前記第１の内側部材に内側部材操作用線材の一端をつないでおいてから新しく導入される交換用ビームの一方の端部に挿入する挿入工程と、前記交換用ビームのうち前記第１の内側部材が挿入されている端部と反対側の端部に前記第２の内側部材を挿入した状態で前記第１の内側部材が挿入されている端部をこれに対応するコネクタと対向する位置に保持し、その位置で前記内側部材操作用線材を前記ビームの外側から引っ張ることによって前記第１の内側部材を前記コネクタ側に移動させることにより当該コネクタから当該第１の内側部材の両端部が突出して前記交換用ビームとその隣のビームとに挿入される状態にし、この状態で当該第１の内側部材の両端部を当該両端部がそれぞれ挿入されたビームに締結する取り付け工程とを含むことを特徴とする。
【０００９】
本発明のガードパイプにおけるビームの取り替え方法は、互いに間隔を空けて列をなすように配置された複数の支柱と、管状をなし、隣り合う支柱同士の間に配設される複数本のビームと、各ビームの端部を対応する支柱に連結するための連結装置とを備え、この連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有するガードパイプのうちの特定のビームを取り替えるための方法であって、前記特定のビームを当該ビームの両端部とそれぞれ嵌合する第１の内側部材及び第２の内側部材から取り外す取り外し工程と、前記第１の内側部材に内側部材操作用線材の一端をつないでおいてから、この第１の内側部材を、前記隣り合うビームの端部の奥へ挿入する挿入工程と、交換用ビームの一方の端部に前記第２の内側部材を挿入した状態で前記交換用ビームの他方の端部をこれに対応するコネクタと対向する位置に保持し、その位置で前記内側部材操作用線材を前記ビームの外側から引っ張ることによって前記隣り合うビームから前記第１の内側部材を前記コネクタ側に戻すことにより当該コネクタから当該第１の内側部材の両端部が突出して前記交換用ビームとその隣のビームとに挿入される状態にし、この状態で当該第１の内側部材の両端部を当該両端部がそれぞれ挿入されたビームに締結する取り付け工程とを含むことを特徴とする。
【００１０】
以上の発明によれば、交換用ビームを取り付ける取り付け工程において、第１の内側部材を所定の位置まで移動させ、コネクタから第１の内側部材の両端部を突出させて交換用ビームとその隣り合うビームとに挿入する。このことにより、交換用ビームの一方の端部と第１の内側部材とが係り合い、交換用ビームの他方の端部と第２の内側部材とが係り合って、交換用ビームは略水平な状態に支持される。このように、各支柱に取り付けられる内側部材を移動させて交換用ビームの取り付け作業を行うので、たとえば、インナースリーブといった内側部材を用いたガードパイプであっても、ビームの取り替え作業を容易に行うことができる。
【００１２】
また、この発明によれば、挿入工程において、内側部材に内側部材操作用線材の一端をつないでおいてから、ビームの端部に内側部材を挿入するので、ビーム内の内側部材を外側から容易に操作可能な状態にすることができる。すなわち、ビームを取り付ける工程では、内側部材操作用線材をビームの外側から引っ張るだけで、簡単に内側部材をビームの軸方向に移動させることができる。
【００１３】
また、上記の内側操作用線材を用いて第１の内側部材を移動させるガードパイプにおけるビームの取り替え方法において、前記取り付け工程では、前記内側部材操作用線材を、前記隣り合うビームまたは前記交換用ビームと前記第１の内側部材とを締結するボルトを挿通するために当該隣り合うビームまたは前記交換用ビームに設けられた貫通孔を通じてその外部に導出させておくことが好ましい。
【００１４】
この発明によれば、内側部材操作用線材をビームに設けられた貫通孔を通じてビームの外部に導出させておくことによって、ビームの外側からビームの内部に収められた内側部材を操作することができる。しかも、ボルトを挿通するためにビームに設けられた貫通孔を利用するので、内側部材操作用線材を導出する専用の貫通孔をビームに改めて形成する必要がない。また、ボルトをビームの貫通孔に挿入した状態では、ボルトが栓のように機能し、ビームに形成された貫通孔を経てビームの内側に水などが浸入するのを防止して、ビームの腐食を抑制することができる。
【００１５】
また、上記の内側操作用線材を用いて第１の内側部材を移動させるガードパイプにおけるビームの取り替え方法において、前記挿入工程では、前記第１の内側部材の端部に形成された突出部に前記内側部材操作用線材の一端を引掛けておき、その突出部の側から当該第１の内側部材を前記交換用ビームまたは隣り合うビームの端部に挿入することが好ましい。
【００１６】
この発明によれば、内側部材の端部には、内側部材操作用線材の一端を引掛けるための突出部が形成されているので、内側部材操作用線材を内側部材に容易につなぐことができる。
また、上記のガードパイプにおけるビームの取り替え方法において、前記各ビームの両端には、その外側から内側に内側部材操作用工具の先端を挿入するための貫通孔が設けられ、前記各内側部材の表面には、前記突出方向と平行な方向に並び、前記内側部材操作用工具とそれぞれ係合可能な複数の係合部が形成され、前記取り外し工程では、前記特定のビームまたは前記隣り合うビームに設けられた貫通孔から前記特定のビームまたは前記隣り合うビームの内側に前記内側部材操作用工具を挿入しながらこの内側部材操作用工具を前記第１の内側部材の適当な係合部に係合させてこの第１の内側部材を前記ビームの軸方向に移動させることにより、当該特定のビームから当該第１の内側部材を取り外すことが好ましい。
この発明によれば、内側部材をビームの内部でビームの軸方向に移動させることによって、内側部材と特定のビームとの係り合いを解き、または、内側部材とコネクタとの係り合いを解き、ガードパイプの中間部に設けられた特定のビームであっても、切断せずに特定のビームのみを取り外すことができる。
【００１７】
また、本発明のガードパイプにおけるビームの取り替え方法は、互いに間隔を空けて列をなすように配置された複数の支柱と、管状をなし、隣り合う支柱同士の間に配設される複数本のビームと、各ビームの端部を対応する支柱に連結するための連結装置とを備え、この連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有し、前記各ビームの両端には、その外側から内側に内側部材操作用工具の先端が挿入可能な貫通孔が設けられ、前記各内側部材の表面には、前記突出方向と平行な方向に並び、前記内側部材操作用工具とそれぞれ係合可能な複数の係合部が形成されたガードパイプのうちの特定のビームを取り替えるための方法であって、前記特定のビームを当該ビームの両端部とそれぞれ嵌合する第１の内側部材及び第２の内側部材から取り外す取り外し工程と、前記第１の内側部材を前記コネクタ及び前記特定のビームと隣り合うビームから外し、新しく導入される交換用ビームの一方の端部に挿入する挿入工程と、前記交換用ビームのうち前記第１の内側部材が挿入されている端部と反対側の端部に前記第２の内側部材を挿入した状態で前記第１の内側部材が挿入されている端部をこれに対応するコネクタと対向する位置に保持し、その位置で、前記交換用ビームに設けられた貫通孔から当該交換用ビームの内側に前記内側部材操作用工具を挿入しながらこの内側部材操作用工具を前記第１の内側部材の適当な係合部に係合させてこの第１の内側部材を前記ビームの軸方向に移動させる操作を各係合部について繰り返すことによって前記第１の内側部材を前記コネクタ側に移動させることにより、当該コネクタから当該第１の内側部材の両端部が突出して前記交換用ビームとその隣のビームとに挿入される状態にし、この状態で当該第１の内側部材の両端部を当該両端部がそれぞれ挿入されたビームに締結する取り付け工程とを含むことを特徴とする。
また、本発明のガードパイプにおけるビームの取り替え方法は、互いに間隔を空けて列をなすように配置された複数の支柱と、管状をなし、隣り合う支柱同士の間に配設される複数本のビームと、各ビームの端部を対応する支柱に連結するための連結装置とを備え、この連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有し、前記各ビームの両端には、その外側から内側に内側部材操作用工具の先端が挿入可能な貫通孔が設けられ、前記各内側部材の表面には、前記突出方向と平行な方向に並び、前記内側部材操作用工具とそれぞれ係合可能な複数の係合部が形成されたガードパイプのうちの特定のビームを取り替えるための方法であって、前記特定のビームを当該ビームの両端部とそれぞれ嵌合する第１の内側部材及び第２の内側部材から取り外す取り外し工程と、前記第１の内側部材を、前記隣り合うビームのさらに奥へ挿入する挿入工程と、新しく導入される交換用ビームの一方の端部に前記第２の内側部材を挿入した状態で前記交換用ビームの他方の端部をこれに対応するコネクタと対向する位置に保持し、その位置で、前記隣り合うビームに設けられた貫通孔から当該隣り合うビームの内側に前記内側部材操作用工具を挿入しながらこの内側部材操作用工具を前記第１の内側部材の適当な係合部に係合させてこの第１の内側部材を前記ビームの軸方向に移動させる操作を各係合部について繰り返すことによって前記隣り合うビームから前記第１の内側部材を前記コネクタ側に戻すことにより、当該コネクタから当該第１の内側部材の両端部が突出して前記交換用ビームとその隣のビームとに挿入される状態にし、この状態で当該第１の内側部材の両端部を当該両端部がそれぞれ挿入されたビームに締結する取り付け工程とを含むことを特徴とする。
【００１８】
これらの発明によれば、ビームに形成された貫通孔から内側部材操作用工具を挿入し、内側部材の突出方向と平行な方向に並んで形成された複数の係合部に、内側操作用工具を係合させて内側部材を移動させることを繰り返しながら内側部材をコネクタから突出させるので、内側部材の位置をビームの軸方向に微調整することができる。
【００１９】
また、上記のガードパイプにおけるビームの取り替え方法において、前記取り外し工程では、前記特定のビームまたは前記隣り合うビームに設けられた貫通孔から前記特定のビームまたは前記隣り合うビームの内側に前記内側部材操作用工具を挿入しながらこの内側部材操作用工具を前記第１の内側部材の適当な係合部に係合させてこの第１の内側部材を前記ビームの軸方向に移動させることにより、当該特定のビームから当該第１の内側部材を取り外すことが好ましい。
【００２０】
この発明によれば、内側部材をビームの内部でビームの軸方向に移動させることによって、内側部材と特定のビームとの係り合いを解き、または、内側部材とコネクタとの係り合いを解き、ガードパイプの中間部に設けられた特定のビームであっても、切断せずに特定のビームのみを取り外すことができる。
【００２１】
また、上記のガードパイプにおけるビームの取り替え方法において、前記取り外し工程では、前記特定のビームをその途中で切断することにより当該ビームを第１の内側部材及び第２の内側部材から取り外してもよい。
【００２２】
この発明によれば、特定のビームを取り外す作業を迅速に行うことができる。
【００２３】
本発明のガードパイプは、互いに間隔を空けて列をなすように配置された複数の支柱と、管状をなし、隣り合う支柱同士の間に配設される複数本のビームと、各ビームの端部を対応する支柱に連結するための連結装置とを備えたガードパイプであって、前記連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有し、前記内側部材の長手方向両端部のうちの少なくとも一方に、この内側部材を外部からの操作によって前記ビーム内でその軸方向に移動させるための内側部材操作用線材が連結可能な突出部が設けられることを特徴とする。
【００２４】
この発明によれば、内側部材を外部からの操作によってビーム内でその軸方向に移動させるための内側部材操作用線材が連結可能な突出部が設けられているので、これを用いて内側部材を移動させて、内側部材の両端部をコネクタから突出させて交換用ビームとその隣のビームとに挿入することで、新しく導入される交換用ビームを取り付ける。したがって、ガードパイプの中間部に位置しているビームを取り替える際に、ガードパイプの端部に位置するビームから中間部に位置する取り替え対象となっているビームまで、すべてのビームを取り外す必要がないので、インナースリーブ（内側部材）を用いたガードパイプにおいて、ビームの取り替え作業を容易に行うことができる。
【００２５】
本発明のガードパイプは、互いに間隔を空けて列をなすように配置された複数の支柱と、管状をなし、隣り合う支柱同士の間に配設される複数本のビームと、各ビームの端部を対応する支柱に連結するための連結装置とを備えたガードパイプであって、前記連結装置は、各々の支柱の側部に取り付けられるコネクタと、前記各支柱に対して略直交する方向に延びる姿勢で当該方向に移動可能に前記コネクタにより保持され、かつ、該コネクタから前記略直交する方向の両側に突出して対応するビームの端部に挿入される内側部材と、当該ビームの端部と当該端部に挿入される内側部材とを締結するための締結具とを有し、前記各ビームの端部には、前記締結具が挿通可能な貫通孔が設けられるとともに、前記内側部材の表面には、前記貫通孔から前記各ビームの内側に挿入される内側部材操作用工具と係合可能な係合部が当該内側部材の長手方向に配列されていることを特徴とする。
【００２６】
この発明によれば、内側部材の表面に、ビームに形成された貫通孔からビームの内側に挿入される内側操作用工具と係合可能な係合部が内側部材の長手方向に配列されている。この係合部とビームに形成された貫通孔を用いて内側部材を移動させ、内側部材の両端部をコネクタから突出させて交換用ビームとその隣のビームとに挿入することで、新しく導入される交換用ビームを取り付ける。したがって、ガードパイプの中間部に位置しているビームを取り替える際に、ガードパイプの端部に位置するビームから中間部に位置する取り替え対象となっているビームまで、すべてのビームを取り外す必要がないので、インナースリーブ（内側部材）を用いたガードパイプにおいて、ビームの取り替え作業を容易に行うことができる。
【００２７】
また、上記のガードパイプにおいて、前記内側部材の両端部をこれらの端部がそれぞれ挿入されるビームの内側面に密着させるための補強具を備え、前記補強具は、前記コネクタとその両側のビームの端部とに跨がる形状の補強具本体と、この補強具本体の中間部を前記コネクタに設けられた貫通孔を通じて前記内側部材に締結する補強用締結具とを有することが好ましい。
【００２８】
この発明によれば、補強具本体がコネクタとビームの端とを跨ぐように設けられ、補強用締結具を締め付けることによって、コネクタに内側部材が固定される。加えて、補強用締結具による締め付け力を受けた補強具本体は、両ビームの端部を押し上げてそのビームの内側面を内側部材の表面に密着させる。したがって、ビームの端部が内側部材の下面と補強具本体によって挟み込まれて拘束された状態になり、これによりビームの端部のガタつきが抑制される。
【発明の効果】
【００２９】
本発明によれば、インナースリーブを用いたガードパイプにおいて、ビームの取り替え作業を容易に行うことができる。
【発明を実施するための最良の形態】
【００３０】
本発明は、インナースリーブ（内側部材）の形状に工夫を施し、ビームの内側に収められたインナースリーブをビームの外側から、ビームの長手方向に移動させることによって、ビームの取り付けや取り外しを行うものである。
【００３１】
以下で、図面を用いて本発明のガードパイプの取り替え方法およびガードパイプについて詳しく説明する。
【００３２】
（実施の形態１）
図１は、実施の形態１のガードパイプ１００を説明するためのガードパイプ１００の正面図、図２は、図１のＸ−Ｘ位置で切断したガードパイプ１００の断面図である。本実施の形態のガードパイプ１００は、図１に示されるように、複数の支柱２と、支柱２によって間接的に略水平な状態に支持されるビーム５と、ビーム５を支柱２に間接的に取り付けるための連結装置とから構成されている。
【００３３】
支柱２は、図１および図２に示されるように、互いに間隔を空けて列をなすように配置されている。支柱２の列は、道路を隔てる境界線に沿うように配置される。支柱２は、下端側が地中に埋設された状態で上端側を地上に略垂直に突出させている。支柱２は、図２に示されるように、略円筒状を呈した支柱本体２１と、支柱本体２１の上端を覆うように設けられたキャップ２２とを含む。支柱本体２１、キャップ２２は、いずれも鋼鉄製の部材である。キャップ２２には、最上段のビーム５が間接的に固定され、支柱本体２１には、下段側のビーム５が間接的に固定される。
【００３４】
ビーム５は、略水平な状態で連結装置を介して間接的に支柱２１に支持されている。各ビーム５は、中空長尺状を呈した、鋼鉄製の部材である。各ビーム５の両端には、ボルトを挿入するためのボルト孔５ａ１、５ａ２、５ａ３、５ａ４、５ｂ１、５ｂ２、５ｂ３、５ｂ４が形成されている。これらのボルト孔のうち、ボルト孔５ａ１、５ａ２、５ａ３、５ａ４は、ビーム５の上部にビームの長手方向に沿って配置され、ボルト孔５ｂ１はボルト孔５ａ１と対向する位置に、ボルト孔５ｂ２はボルト孔５ａ２と対向する位置に、ボルト孔５ｂ３はボルト孔５ａ３と対向する位置に、ボルト孔５ｂ４はボルト孔５ａ４と対向する位置に配置されている。
【００３５】
以下では、ビーム５のうち、ガードパイプ１００の中間部に設けられ、取替え対象となっているビーム（特定のビーム）に符号５１を付し、取替え対象となっているビーム５１とコネクタ３を介して隣り合うビーム（隣り合うビーム）に符号５２を付して説明する。
【００３６】
連結装置は、インナースリーブ４を支柱２に間接的に取り付けるためのコネクタ３と、ビーム５１、５２の端部を間接的に連結しながら、ビーム５１、５２を略水平な状態で支持するためのインナースリーブ（内側部材）４と、インナースリーブ４をビーム５１、５２の長手方向の所定の位置に固定するための締結具６と、インナースリーブ４をコネクタ３に固定するための補強具８とを含む。
【００３７】
コネクタ３は、各支柱２の側部に２個ずつ取り付けられている。コネクタ３は、中空状を呈した鋼鉄製の部材である。コネクタ３には、１箇所にボルト３０を貫通させるための孔（図示しない）が形成され、この孔に、ボルト３０を挿入し、ボルト３０を支柱本体２１またはキャップ２２に形成された螺合孔（図示しない）に螺合することによって、コネクタ３が支柱２に固定される。また、コネクタ３には、その下部に補強具８を取り付けるためのボルト孔３２ａが形成されている。
【００３８】
図３は、実施の形態１のガードパイプに用いられるインナースリーブ４を説明するための斜視図である。インナースリーブ４は、図４に示されるように、ビーム５１とビーム５２の連結部分の強度を確保するためのインナースリーブ本体４１と、ワイヤー（内側部材操作用線材）Ｗを引掛けるための突出部４２とを含む。使用状態において、インナースリーブ４は、その両端をコネクタ３から突出させた状態で、コネクタ３によって略水平に保持される。
【００３９】
インナースリーブ本体４１は、外径より幅が長い中空状を呈している。インナースリーブ本体４１は、その外側表面に長手方向に沿って延びるように形成された１つの平面部４１ａと、平面部４１ａ以外の部分であって、前述のビーム５の内周面に沿うような形状を呈した周部４１ｂとを含む。また、インナースリーブ本体４１には、後述の締結具６を貫通させて、インナースリーブ４をビーム５１、５２の端部の所定の位置に位置決めするためのボルト孔４ａ１、４ｂ１、４ａ２、４ｂ２、４ａ３、４ｂ３、４ａ４、４ｂ４と、インナースリーブ４をコネクタ３に固定するためのボルト孔４ｂ５とが形成されている。これらのボルト孔のうちボルト孔４ａ１、４ａ２、４ａ３、４ａ４は、平面部４１ａにその長手方向に沿うように配置され、ボルト孔４ｂ１はボルト孔４ａ１と対向する位置に、ボルト孔４ｂ２はボルト孔４ａ２と対向する位置に、ボルト孔４ｂ３はボルト孔４ａ３と対向する位置に、ボルト孔４ｂ４はボルト孔４ａ４と対向する位置に配置されている。
【００４０】
平面部４１ａには、マイナスドライバー（内側操作用工具）Ｄの先端を係合させるための係合部４ｃが、インナースリーブ４の長手方向（インナースリーブ４がコネクタ３の所定の位置に設置された状態では、インナースリーブ４のコネクタ３からの突出方向）に沿って配列されている。係合部４ｃは、インナースリーブ４の長手方向に直交する方向に延びるように形成された複数の溝から構成されている。
【００４１】
インナースリーブ４は、使用状態において、平面部４１ａの側が、ビーム５１、５２の上部に形成されたボルト孔５ａ１、５ａ２、５ａ３、５ａ４と対向するように、ビーム５１、５２の端部の内側に収められる。これにより、ビーム５１、５２の上部に形成されたボルト孔５ａ１、５ａ２、５ａ３、５ａ４からマイナスドライバーＤの先端を挿入し、インナースリーブ本体４１に形成された係合部４ｃに係合させて、インナースリーブ４をビーム５１、５２の軸方向に移動させることができる。また、ビーム５１、５２に形成されたボルト孔５ａ１、５ａ２、５ａ３、５ａ４を、マイナスドライバーＤの挿入孔と兼用することにより、ビーム５１、５２内に収められたインナースリーブ４を移動させるために使用する開口を改めてビーム５１、５２に形成する必要がない。また、後述の締結具６を締結することで、インナースリーブ４がビーム５の長手方向の所定の位置に固定されるとともに、締結具６がこれらのボルト孔を塞ぐ栓のように機能し、ビーム内に水などが浸入するのを防ぎ、ビームの腐食を抑制することができる。
【００４２】
突出部４２は、インナースリーブ本体４１の平面部４１ａと一体に設けられ、インナースリーブ本体４１の一方の端からその長手方向に突出するように形成されている。インナースリーブ４をビーム５１、コネクタ３およびビーム５２の内部で移動させる他の方法としては、この突出部４２にワイヤーＷの一方の端部を引掛け、ワイヤーＷの他方の端部を突出部４２の突出方向と反対の方向に導出した状態で、ワイヤーＷの他方の端部を引っ張ってインナースリーブ４を移動させる。このような突出部４２をインナースリーブ本体４１に一体に形成しておくことで、ワイヤーＷをインナースリーブ４に対して容易に係合させることができる。
【００４３】
以下では、取り替え対象となっているビーム５１の一方の端側に挿入されるインナースリーブ４であって、コネクタ３に固定されていない状態にあるインナースリーブ４を第１インナースリーブ（第１の内側部材）４、ビーム５１の他方の端側に挿入されるインナースリーブ４であって、コネクタ３に固定されている状態にあるインナースリーブ４を第２インナースリーブ（第２の内側部材）４として説明する。
【００４４】
締結具６は、ビーム５１、５２の外側から、ビーム５１、５２内に収められたインナースリーブ４をビーム５１、５２の横断方向に貫通するように設けられる。締結具６は、ボルト６１とナット６２とから構成され、ボルト６１は、インナースリーブ４がビーム５１、５２の長手方向の所定の位置に配置されて、ビームに形成された所定のボルト孔とインナースリーブに形成された所定のボルト孔とが連通したときに、各連通孔に挿入され、ナット６２によって固定される。
【００４５】
補強具８は、コネクタ３の外側下面に密接するように設けられる。補強具８は、コネクタ３の両端に設けられた２本のビームの端部と、コネクタ３の高さをほぼ同一にするための座金（補強具本体）８１と、座金８１をコネクタ３に締結するためのボルト（補強用締結具）８２とから構成されている。座金８１は、コネクタ３の下部に取り付けられた状態で、コネクタ３の両端に設けられた２本のビーム５１と５２の端部を跨ぐような形状を呈している。座金８１の中間部には、ボルト８２を挿通するための孔（図示しない）が形成されている。
【００４６】
ボルト８２は、座金８１に形成された孔と、コネクタ３の下面に形成されたボルト孔３２ａとに挿通されて、インナースリーブ４に形成されたボルト孔４ｂ５にねじ込まれる。ビーム５１、５２の端部はインナースリーブ４の両端にぶら下がるような状態で支持されているが、この座金８１とボルト８２を用いることで、ボルト８２が締め付けられると、座金８１によってビーム５１とビーム５２の端部が若干上方へ持ち上げられる。したがって、ビーム５１、５２の端部と、コネクタ３の高さがほぼ同一になり、ビーム５１、５２の内側表面とインナースリーブ４の下面とが密着し、ビーム５１、５２の端部をインナースリーブ４と座金８１とで挟み込むような状態になり、ビーム５１、５２がガタつくのを抑制することができる。
【００４７】
この構成により、本実施の形態のガードパイプ１００のビームの取り替え方法について、以下で説明する。本実施の形態のガードパイプにおけるビームの取り替え方法は、（１）締結具６および補強具８を取り外す工程と、（２）第１インナースリーブ４を移動させてビーム５１を取り外す工程と、（３）交換用ビーム５１の一端Ａに第１インナースリーブ４を挿入する挿入工程と、（４）交換用ビーム５１を取り付ける工程と、（５）締結具６および補強具８を締結する工程とを含む。以下で、各工程について詳しく説明する。
【００４８】
（１）締結具６を取り外す工程
まず、作業者は、ガードパイプ１００の取り替え対象となったビーム５１の両端に締結されている締結具６と、ビーム５１の一端Ａにコネクタ３を介して隣り合うビーム５２であって、ビーム５１に近い側の端に締結されている締結具６と、ビーム５１の一端Ａ側に設けられているコネクタ３の下端に設けられた補強具８とを取り外す。
【００４９】
（２）第１インナースリーブ４を移動させてビーム５１を取り外す工程
つぎに、作業者は、ビーム５１の端Ａ側に設けられた第１インナースリーブ４をビーム５１、５２の軸方向に移動させる。図４は、第１インナースリーブ４をビーム５１、５２内で移動させる方法を説明するための断面図である。作業者は、図４に示されるように、マイナスドライバーＤの先端をビーム５１、５２に形成されたボルト孔５１ａ１、５１ａ２、５１ａ３、５１ａ４のいずれか一つ、本実施の形態では、ビーム５１に形成されたボルト孔５ａ３に挿入する。そして、作業者は、マイナスドライバーＤの先端をインナースリーブ本体４１の平面部４１ａに形成された係合部４ｃのうちの１つの溝に係合させる。作業者は、マイナスドライバーＤの先端を係合部４ｃに押し付けるように係合させた状態で、ビーム５１の外側に突出したマイナスドライバーＤの把持部をビーム５１の軸方向に傾ける。これによって、第１インナースリーブ４は、ビーム５１内で、わずかに動く。この操作を各４ｃについて順次繰り返すことにより第１インナースリーブ４をビーム５１側へ、その軸方向に移動させることができる。
【００５０】
そして、第１インナースリーブ４の全体がビーム５１内へ移動すると、第１インナースリーブ４とコネクタ３との係り合いが解けて、ビーム５１の端Ａでは支柱２との間接的な連結が解除される。さらに、作業者は、ビーム５１の端Ｂを第２インナースリーブ４から離れる方向に移動させて、ビーム５１の端Ｂについても第２インナースリーブ４との係り合いを解き、ビーム５１を完全に支柱２から取り外す。
【００５１】
このように、ビームの取り替え作業において、第１インナースリーブ４を移動させることによって、ビームの取り外し作業を行うと、取替え対象となっているビーム５１を切断することなく、かつ、取り替え対象となっているビーム５１を支柱２から取り外すことができる。
【００５２】
（３）交換用ビーム５１の一端に第１インナースリーブ４を挿入する挿入工程
つぎに、作業者は、ビーム５１が取り外された部分に新たに取り付けられる交換用ビーム５１を準備する。まず、作業者は、交換用ビーム５１の端Ａに（２）の工程でビーム５１とともに取り外された第１インナースリーブ４を挿入する。
【００５３】
このとき、第１インナースリーブ４には、その突出部４２にワイヤーＷの一方の端に設けられた環状の第２環部Ｗ２を係合させる。そして、作業者は、ワイヤーＷの他方の端に設けられた第１環部Ｗ１を、第１インナースリーブ４の内側を経てボルト孔４ａ２から第１インナースリーブ４の外部に導出させた状態（すなわち、突出部４２の突出方向と反対の方向にワイヤーＷの他方の端Ｗ１を導出させた状態）で、突出部４２の側が交換用ビーム５１の奥側になるように（すなわち、ワイヤーＷの第１環部Ｗ１が交換用ビーム５１の端Ａ側になるように）第１インナースリーブ４を交換用ビーム５１の端Ａに挿入する。
【００５４】
（４）交換用ビーム５１を取り付ける工程
つぎに、作業者は、（３）の工程で第１インナースリーブ４が挿入された交換用ビーム５１を２本の支柱２に取り付ける。
【００５５】
図５は、交換用ビーム５１を取り付ける工程を説明するための概略図である。図６は、第１インナースリーブ４が内部に挿入された交換用ビーム５１をコネクタ３に当接させる状態を説明するための斜視図である。図７は、交換用ビーム５１を取り付ける際に、第１インナースリーブ４をビーム５１、５２内で移動させて位置合わせする方法を説明するための断面図である。
【００５６】
まず、作業者は、図５に示されるように、支柱２に固定された状態のままの第２インナースリーブ４に、交換用ビーム５１の端Ｂを嵌め合わせる。つぎに、作業者は、第１インナースリーブ４が挿入された端Ａ側から導出されたワイヤーＷの第１環部Ｗ１をコネクタ３に挿通する。さらに、ワイヤーＷの第１環部Ｗ１を隣り合うビーム５２の内部にまで送り込み、隣り合うビーム５２の端部に形成されたボルト孔５ａ２またはボルト孔５ａ１から隣り合うビーム５２の外部へワイヤーＷの第１環部Ｗ１を導出する（図５、図６参照）。本実施の形態では、ボルト孔５ａ２からワイヤーＷの第１環部Ｗ１を導出した場合について説明する。
【００５７】
そして、作業者は交換用ビーム５１の端Ａをコネクタ３の側縁に対向する位置に保持し、その状態で、ワイヤーＷの第１環部Ｗ１を引っ張り、第１インナースリーブ４をコネクタ３側（すなわち隣り合うビーム５２側）へ移動させる（図７参照）。これにより、第１インナースリーブ４は、第１インナースリーブ４のワイヤーＷが導出されたボルト孔４ａ２と、隣り合うビーム５２のワイヤーＷが導出されたボルト孔５ａ２とがほぼ対向する位置まで移動する。したがって、第１インナースリーブ４は、コネクタ３からその両端を突出させた状態（すなわち、支柱２に対して略直交する方向に延びる姿勢で当該方向に移動可能な状態）に支持される。さらに、第１インナースリーブ４の一端は、交換用ビーム５１の端Ａ側の内部に嵌り合い、第１インナースリーブ４の他端は、隣り合うビーム５２の端の内部に嵌り合って、２本のビームの端部を支持する。
【００５８】
そして、ワイヤーＷを第１インナースリーブ４から取り外す際には、作業者がワイヤーＷの第１環部Ｗ１を第１インナースリーブ４の移動方向と反対の方向（すなわち、コネクタ３の方向）に押し込むことで、突出部４２に係合した第２環部Ｗ２を突出部４２から取り外し、ワイヤーＷをビーム５１、コネクタ３およびビーム５２の内部から外部に引き出す。
【００５９】
なお、このように第１インナースリーブ４の位置を戻すための操作は、ワイヤーＷを用いるものに限られない。たとえば、第１インナースリーブ４に形成されたボルト孔の位置とビーム５に形成されたボルト孔の位置とを合致させるために、マイナスドライバーＤをビームに形成されたボルト孔から挿入し、マイナスドライバーＤの端部を第１インナースリーブ４に形成された係合部４ｃに係合させて、（２）の工程と同様に第１インナースリーブ４をわずかずつ移動させることによって、第１インナースリーブ４の位置を微調整してもよい。
【００６０】
（５）締結具６および補強具８を締結する工程
最後に、作業者は交換用ビーム５１の両端部と、交換用ビーム５１の端Ａ側に隣り合うビーム５２の端部に締結具６を締結し、コネクタ３の下部に補強具８を取り付けて、ビームの取り替え作業が完了する。
【００６１】
以上の実施の形態によれば、ビーム５１、５２の外側から、ビーム５１、５２の内側に収められた第１インナースリーブ４をビーム５１、５２の長手方向に移動させる。これにより、ビーム５１の端部と第１インナースリーブ４の支柱２から突出した部分とコネクタ３との係わり合いを解いた場合には、ビーム５１が支柱から取り外され、また、ビーム５１の端部と第１インナースリーブ４の支柱２から突出した部分とコネクタ３とに係わり合いを持たせた場合には、ビーム５１が支柱２に取り付けられる。すなわち、本実施の形態では、取り替え対象となっているビーム５１の両端を支持している２本の支柱のうち、一方の支柱２１に設けられているインナースリーブ４のみを移動させて、取り替え対象となっているビーム５１の取り外し、または、取り付けを行っている。したがって、ガードパイプ１００の中間部に位置しているビーム５１、５２を取り替える際に、ガードパイプ１００の端部に位置するビームから中間部に位置する取り替え対象となっているビーム５１またはビーム５２まで、すべてのビームを取り外す必要がない。したがって、インナースリーブ４を用いたガードパイプであっても、ビームの取り替え作業を容易に行うことができる。
【００６２】
なお、上記実施の形態では、インナースリーブ４をビームの内側で移動させてビーム５を取り外す形態について説明したが、本発明はこれに限定されるものではなく、ビームを切断して取り外してもよい。
【００６３】
また、上記実施の形態では、インナースリーブ本体４１の一方の端のみに突出部４２が形成されている形態について説明したが、本発明はこれに限定されるものではなく、突出部４２は、インナースリーブ本体４１の両端に形成されている形態であってもよい。
【００６４】
また、上記実施の形態では、第１インナースリーブ４を取り替え対象となっているビーム５１の側に移動させてビーム５１を取り外した場合について説明したが、本発明はこれに限定されるものではなく、第１インナースリーブ４を隣り合うビーム５２の側に移動させてビーム５１を取り外してもよい。
【００６５】
また、上記実施の形態では、挿入工程において、第１インナースリーブ４を交換用ビーム５１に挿入し、取り付け工程において、第１インナースリーブ４を隣り合うビーム５２の側に移動させた形態について説明したが、本発明はこれに限定されるものではなく、挿入工程において、第１インナースリーブ４を隣り合うビーム５２に挿入し、取り付け工程において、第１インナースリーブ４を交換用ビーム５１の側に移動させる形態であってもよい。
【図面の簡単な説明】
【００６６】
【図１】実施の形態１のガードパイプを説明するための正面図である。
【図２】図１のＸ−Ｘ位置で切断したガードパイプの断面図である。
【図３】実施の形態１のガードパイプに用いられるインナースリーブを説明するための斜視図である。
【図４】第１インナースリーブをビーム内で移動させる方法を説明するための断面図である。
【図５】交換用ビームを取り付ける工程を説明するための概略図である。
【図６】第１インナースリーブが内部に挿入された交換用ビームをコネクタに当接させる状態を説明するための斜視図である。
【図７】交換用ビームを取り付ける際に、第１インナースリーブをビーム内で移動させて位置合わせする方法を説明するための断面図である。
【図８】従来のガードパイプを説明するための正面図である。
【符号の説明】
【００６７】
２、２１  支柱
３、３１、３２  コネクタ
４  インナースリーブ（内側部材）
４１  突出部
４ｃ  係合部
５  ビーム
５１  取り替え対象となっているビーム（特定のビーム）、交換用ビーム
５２  隣り合うビーム
５ａ１、５ａ２、５ａ３、５ａ４  ボルト孔（貫通孔）
６  締結具
８  補強具
８１  座金（補強具本体）
８２  ボルト（補強用締結具）
１００  ガードパイプ
Ｗ  ワイヤー（内側部材操作用線材）
Ｄ  マイナスドライバー（内側部材操作用工具）
【図１】
0005255811.tif 000002
【図２】
0005255811.tif 000003
【図３】
0005255811.tif 000004
【図４】
0005255811.tif 000005
【図５】
0005255811.tif 000006
【図６】
0005255811.tif 000007
【図７】
0005255811.tif 000008
【図８】
0005255811.tif 000009